【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
前主面及び後主面を備える基材を有し、前記後主面が、１．６より高い屈折率を持つ少なくとも１つの層と１．５より低い屈折率を持つ少なくとも１つの層との積層体を有する多層反射防止膜で被覆されている眼鏡レンズであって、
可視領域における前記後主面の平均反射率Ｒｍは、１．１５％以下であり、
可視領域における前記後主面の平均光反射率ＲＶは、１％以下であり、
ＩＳＯ  １３６６６：１９９８  規格において定義される関数Ｗ（λ）によって重み付けされた、２８０ｎｍと３８０ｎｍとの間の前記後主面の平均反射率ＲＵＶは、３０°の入射角及び４５°の入射角の両方に対して、５％未満であり、
前記多層反射防止膜は、３以上の数の層を有し、
前記多層反射防止膜は、酸化インジウムをベースとする厚さ１５ｎｍ以上のいかなる層をも有しておらず、
前記多層反射防止膜の外層は、シリカをベースとする層であり、
前記平均反射率は、前記後面について、２８０ｎｍ〜２９５ｎｍの少なくとも１つ波長範囲に亘って、３０°の入射角及び４５°の入射角に対して、５％超であるか、または、
前記平均反射率は、前記後面について、２８０ｎｍ〜２９０ｎｍの波長範囲の少なくとも７０％に亘って、１５°の入射角に対して、１０％超である眼鏡レンズ。
【請求項２】
前記平均反射率は、前記後面について、２８０ｎｍ〜２９５ｎｍの少なくとも１つ波長範囲に亘って、３０°の入射角及び４５°の入射角に対して、６％超である請求項１に記載のレンズ。
【請求項３】
前記平均反射率は、前記後面について、２８０ｎｍ〜２９５ｎｍの少なくとも１つ波長範囲に亘って、３０°の入射角及び４５°の入射角に対して、１０％超である請求項２に記載のレンズ。
【請求項４】
前記多層反射防止膜は、４以上の層を有する請求項１〜３のいずれかに記載のレンズ。
【請求項５】
前記反射防止被膜は、前記基材から遠ざかる方向において、８〜２５ｎｍの厚さを持つ１．６より高い屈折率の層と、１０〜３５ｎｍの厚さを持つ１．５より低い屈折率の層と、７５〜１０５ｎｍの厚さを持つ１．６より高い屈折率の層、及び、７０〜９５ｎｍの厚さを持つ１．５より低い屈折率の層を有するか、または、
前記反射防止被膜は、前記基材から遠ざかる方向において、２０〜６５ｎｍの厚さを持つ１．６より高い屈折率の層と、１０〜３０ｎｍの厚さを持つ１．５より低い屈折率の層と、５〜７５ｎｍの厚さを持つ１．６より高い屈折率の層と、２０〜７５ｎｍの厚さを持つ１．６より高い屈折率の層、及び、６０〜８５ｎｍの厚さを持つ１．５より低い屈折率の層を有する請求項１〜４のいずれか１項に記載のレンズ。
【請求項６】
前記平均反射率は、前記後面について、２８０ｎｍ〜２９５ｎｍの波長範囲の少なくとも２０％に亘って、３０°の入射角及び４５°の入射角に対して、５％超である請求項１〜５のいずれか１項に記載のレンズ。
【請求項７】
前記平均反射率は、前記後面について、２８０ｎｍ〜２９５ｎｍの波長範囲の少なくとも２０％に亘って、３０°の入射角及び４５°の入射角に対して、６％超である請求項６に記載のレンズ。
【請求項８】
前記平均反射率は、前記後面について、２８０ｎｍ〜２９５ｎｍの波長範囲の少なくとも２０％に亘って、３０°の入射角及び４５°の入射角に対して、８％超である請求項７に記載のレンズ。
【請求項９】
前記平均反射率は、２８０ｎｍ〜２９５ｎｍの波長範囲の少なくとも７０％に亘って、１５°の入射角に対して、１０％超である請求項１〜８のいずれか１項に記載のレンズ。
【請求項１０】
前記平均反射率は、２８０ｎｍ〜２９０ｎｍの波長範囲の少なくとも７０％に亘って、１５°の入射角に対して、１０％超である請求項１〜９いずれか１項に記載のレンズ。
【請求項１１】
前記平均反射率は、２８０ｎｍ〜２９０ｎｍの波長範囲の少なくとも７０％に亘って、１５°の入射角に対して、１５％超である請求項１〜１０いずれか１項に記載のレンズ。
【請求項１２】
前記多層反射防止膜は、１．６より高い屈折率を持つ少なくとも２つの層と１．５より低い屈折率を持つ少なくとも２つの層との積層体を有する請求項１〜１１のいずれかに記載のレンズ。
【請求項１３】
前記多層反射防止膜は、ＳｉＯ２ベース層を有する副層に堆積されている請求項１〜１２のいずれか１項に記載のレンズ。
【請求項１４】
前記ＳｉＯ２ベース層は、少なくともシリカ含有量８０重量％含む請求項１３に記載のレンズ。
【請求項１５】
前記ＳｉＯ２をベース層は、１００〜３００ｎｍの厚さを有する請求項１４に記載のレンズ。
【請求項１６】
前記副層は、摩耗防止被膜上に堆積される請求項１３〜１５のいずれか１項に記載のレンズ。
【請求項１７】
前記摩耗防止被膜は、少なくとも１つのアルコキシシラン、及び／又は、それらの加水分解物を有する組成物により調製される請求項１６に記載のレンズ。
【請求項１８】
前記多層反射防止膜は、少なくとも１つの導電層を有する請求項１〜１７のいずれか１項に記載のレンズ。
【請求項１９】
２９０ｎｍと３３０ｎｍとの間の前記後主面の平均反射率Ｒｍ−ＵＶ１は、１５°の入射角に対して、１５％未満である請求項１〜１８のいずれか１項に記載のレンズ。
【請求項２０】
３００ｎｍと３２０ｎｍとの間の前記後主面の平均反射率Ｒｍ−ＵＶ２は、１５°及び／又は３０°及び／又は４５°の入射角に対して、４％未満である請求項１〜１９のいずれか１項に記載のレンズ。
【請求項２１】
３００ｎｍと３８０ｎｍとの間の前記後主面の平均反射率Ｒｍ−ＵＶ３は、１５°の入射角に対して、５％未満である請求項１〜２０のいずれか１項に記載のレンズ。
【請求項２２】
可視領域における前記後主面の平均反射率Ｒｍは、１％以下である請求項１〜２１のいずれか１項に記載のレンズ。
【請求項２３】
可視領域における前記後主面の平均光反射率Ｒｖは、０．９０％以下である請求項１〜２２のいずれか１項に記載のレンズ。
【請求項２４】
ＩＳＯ  １３６６６：１９９８  規格において定義される関数Ｗ（λ）によって重み付けされた、２８０ｎｍと３８０ｎｍとの間の前記後主面の平均反射率ＲＵＶが、３０°の入射角及び４５°の入射角に対して、４．５％未満または以下である請求項１〜２３のいずれか１項に記載のレンズ。
【請求項２５】
ＩＳＯ  １３６６６：１９９８  規格において定義される関数Ｗ（λ）によって重み付けされた、２８０ｎｍと３８０ｎｍとの間の前記後主面の平均反射率ＲＵＶが、３０°の入射角及び４５°の入射角に対して、４％未満または以下である請求項２４に記載のレンズ。
【請求項２６】
前記多層反射防止膜は、いかなるＭｇＦ２層を有していない請求項１〜２５のいずれか１項に記載のレンズ。
【請求項２７】
前記多層反射防止膜は、７以下の層を有する請求項１〜２６のいずれか１項に記載のレンズ。
【請求項２８】
前記副層は、２〜１０μｍの厚さを有する摩耗防止被膜上に堆積される請求項１６に記載のレンズ。
【請求項２９】
３００ｎｍと３２０ｎｍとの間の前記後主面の平均反射率Ｒｍ−ＵＶ２は、１５°及び／又は３０°及び／又は４５°の入射角に対して、３％未満である請求項２０に記載のレンズ。
【請求項３０】
可視領域における前記後主面の平均反射率Ｒｍは、０．７５％以下である請求項２２に記載のレンズ。
【請求項３１】
ＩＳＯ  １３６６６：１９９８  規格において定義される関数Ｗ（λ）によって重み付けされた、２８０ｎｍと３８０ｎｍとの間の前記後主面の平均反射率ＲＵＶは、３０°の入射角及び４５°の入射角に対して、３％未満または以下である請求項２５に記載のレンズ。
【請求項３２】
前記多層反射防止膜は、５以下の数の層を有する請求項２７に記載のレンズ。